【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
デジタル・イメージの少なくとも一部を表すデジタル・イメージ・データ（２５）を受信し、前記デジタル・イメージ・データ（２５）を出力装置（５０）の範囲にマッピングすることが可能なデジタル・イメージ・システム（１０）において、
前記デジタル・イメージ・データ（２５）に基づいて、少なくとも１つの現在のイメージ統計値（１４９）を計算することが可能なイメージ統計プロセッサ（１２０）と、
計算論理回路（１４０）であって、前記イメージ統計プロセッサ（１２０）から、前記少なくとも１つの現在のイメージ統計値（１４９）を受信するように接続され、かつ、前記少なくとも１つの現在のイメージ統計値（１４９）と、前記デジタル・イメージ・システム（１０）に関連した少なくとも１つの知覚的選好に基づいて、少なくとも１つのトーン曲線パラメータ（１５０）を計算することが可能である、計算論理回路と、
トーン曲線発生器（１６０）であって、前記計算論理回路（１４０）から、前記少なくとも１つのトーン曲線パラメータ（１５０）を受信するように接続され、かつ、前記少なくとも１つのトーン曲線パラメータ（１５０）とシグモイド関数を使用して、トーン曲線（１７０）を生成することが可能である、トーン曲線発生器
を備え、
前記トーン曲線（１７０）を使用して、前記デジタル・イメージ・データ（２５）を前記出力装置（５０）の範囲にマッピングすることからなる、デジタル・イメージ・システム（１０）。
【請求項２】
前記デジタル・イメージ・データ（２５）を受信して、前記デジタル・イメージ・データ（２５）を線形イメージ・データ（１３０）に変換し、かつ、前記線形イメージ・データ（１３０）を前記イメージ統計プロセッサ（１２０）に伝送するように接続された、線形変換装置（３０）をさらに備え、前記イメージ統計プロセッサ（１２０）が、前記少なくとも１つの現在のイメージ統計値（１４９）の計算において前記線形イメージ・データ（１３０）を使用することからなる、請求項１に記載のシステム（１０）。
【請求項３】
前記イメージ統計プロセッサが、
前記線形イメージ・データ（１３０）を受信して、前記線形イメージ・データ（１３０）によって表されるピクセル値のヒストグラム（１４５）を生成するように接続されたヒストグラム発生器（１２２）であって、前記ヒストグラム（１４５）に、ピクセル値のそれぞれの範囲を表す複数のビンと、前記複数のビンの各ビン内における前記線形イメージ・データ（１３０）によって表されるピクセル値数のカウントが含まれることからなる、ヒストグラム発生器と、
前記ヒストグラム（１４５）に関連した前記ビンの各々のビン中心値（１３５）を線形スケールからＬ＊スケールに変換して、複数のＬ＊ビン中心値（１３５ａ）を生成することが可能な変換器（１２４）と、
前記ヒストグラム発生器（１２２）から前記カウントを受信し、前記変換器（１２４）から前記複数のＬ＊ビン中心値（１３５ａ）を受信し、かつ、前記カウント及び前記複数のＬ＊ビン中心値（１３５ａ）を使用して、前記少なくとも１つの現在のイメージ統計値（１４９）を計算するように接続された統計値計算論理回路（１２８）
を備えることからなる、請求項２に記載のシステム（１０）。
【請求項４】
前記ヒストグラム（１４５）の生成前に、前記複数のＬ＊ビン中心値（１３５ａ）を記憶するためのメモリ（１２９）をさらに備え、前記統計値計算論理回路（１２８）が、前記カウントの受信に応答して、前記複数のＬ＊ビン中心値（１３５ａ）を取り出すことからなる、請求項３に記載のシステム（１０）。
【請求項５】
前記少なくとも１つのトーン曲線パラメータ（１５０）に、勾配パラメータとシフト・パラメータが含まれ、前記少なくとも１つの現在のイメージ統計値（１４９）に、現在のＬ＊標準偏差と、現在の平均Ｌ＊値または低及び高Ｌ＊百分位数値の一方とが含まれる、請求項１に記載のシステム（１０）。
【請求項６】
前記少なくとも１つの知覚的選好に、所望のＬ＊標準偏差と、所望の平均Ｌ＊値またはセンタリング関数の一方とが含まれ、前記勾配パラメータが、前記現在のＬ＊標準偏差と前記所望のＬ＊標準偏差を用いて計算され、前記シフト・パラメータが、前記現在の平均Ｌ＊値及び前記所望の平均Ｌ＊値、または、前記低及び高Ｌ＊百分位数値と前記センタリング関数を用いて計算されることからなる、請求項５に記載のシステム（１０）。
【請求項７】
上位の事前選択された平均Ｌ＊値及び関連する上位の事前選択されたシフト値と、下位の事前選択された平均Ｌ＊値及び関連する下位の事前選択されたシフト値をさらに含み、
前記現在の平均Ｌ＊値が前記上位の事前選択された平均Ｌ＊値未満で、かつ、前記計算されたシフト・パラメータが、前記上位の事前選択されたシフト値未満であるときは、前記シフト・パラメータが、前記上位の事前選択されたシフト値に設定され、
前記現在の平均Ｌ＊値が前記下位の事前選択された平均Ｌ＊値を超え、前記計算されたシフト・パラメータが、前記下位の事前選択されたシフト値を超えるときは、前記シフト・パラメータが、前記下位の事前選択されたシフト値に設定される
ことからなる、請求項６に記載のシステム（１０）。
【請求項８】
前記デジタル・イメージ・システム（１０）が前記デジタル・イメージ・データ（２５）を受信する前に、前記トーン曲線発生器（１６０）によって生成された第１と第２の事前計算されたトーン曲線（１５８）を記憶するためのメモリ（１６９）をさらに備え、前記第１の事前計算されたトーン曲線が、最小勾配を有し、前記第２の事前計算されたトーン曲線が最大勾配を有することからなる、請求項５に記載のシステム（１０）。
【請求項９】
前記トーン曲線発生器が、
計算論理回路（１６３）であって、前記勾配パラメータ（１５０ａ）及び前記第１と第２の事前計算されたトーン曲線（１５８）を受信するように接続され、かつ、前記勾配パラメータ（１５０ａ）を使用して、前記第１の事前計算されたトーン曲線と前記第２の事前計算されたトーン曲線（１５８）の間の補間を行って、初期トーン曲線（１５９）を求めることが可能である、計算論理回路と、
シフト論理回路（１６５）であって、前記初期トーン曲線（１５９）及び前記シフト・パラメータ（１５０ｂ）を受信するように接続され、かつ、前記シフト・パラメータ（１５０ｂ）を使用して、Ｘ軸上で前記初期トーン曲線（１５９）をシフトさせて、前記デジタル・イメージ・データ（２５）を前記出力装置（５０）の範囲にマッピングする際に用いられる前記トーン曲線（１７０）を生成することが可能である、シフト論理回路
を備えることからなる、請求項８に記載のシステム。
【請求項１０】
前記トーン曲線発生器が、
前記トーン曲線（１７０）のＹ軸にガンマ補正を施すためのガンマ補正論理回路（１６６）と、
前記トーン曲線（１７０）のＸ軸を前記デジタル・イメージ・データ（２５）のスケールに変換するための変換器（１６８）
をさらに備える、請求項１に記載のシステム。
【請求項１１】
デジタル・イメージの少なくとも一部を表すデジタル・イメージ・データ（２５）を出力装置（５０）の範囲にマッピングするための方法であって、
デジタル・イメージ・システム（１０）において前記デジタル・イメージ・データ（２５）を受信するステップと、
前記デジタル・イメージ・データ（２５）に基づいて、少なくとも１つの現在のイメージ統計値（１４９）を計算するステップと、
前記少なくとも１つの現在のイメージ統計値（１４９）と、少なくとも１つの知覚的選好に基づいて、少なくとも１つのトーン曲線パラメータ（１５０）を計算するステップと、
前記少なくとも１つのトーン曲線パラメータ（１５０）とシグモイド関数を使用して、トーン曲線（１７０）を生成し、前記トーン曲線（１７０）を使用して、前記デジタル・イメージ・データ（２５）を前記出力装置（５０）の範囲にマッピングするステップ
を含む、方法。
【請求項１２】
前記少なくとも１つの現在のイメージ統計値（１４９）を計算する前記ステップが、
前記デジタル・イメージ・データ（２５）を線形イメージ・データ（１３０）に変換するステップと、
前記線形イメージ・データ（１３０）を用いて、前記少なくとも１つの現在のイメージ統計値（１４９）を計算するステップ
をさらに含む、請求項１１に記載の方法。
【請求項１３】
前記少なくとも１つの現在のイメージ統計値（１４９）を計算するステップが、
前記線形イメージ・データ（１３０）によって表されるピクセル値のヒストグラム（１４５）を生成するステップであって、前記ヒストグラム（１４５）に、ピクセル値のそれぞれの範囲を表す複数のビンと、前記複数のビンの各ビン内における前記線形イメージ・データ（１３０）によって表されるピクセル値数のカウントが含まれることからなる、ステップと、
前記ヒストグラム（１４５）に関連した前記ビンのそれぞれについてビン中心値（１３５）を線形スケールからＬ＊スケールに変換して、複数のＬ＊ビン中心値（１３５ａ）を得るステップと、
前記カウント及び前記複数のＬ＊ビン中心値（１３５ａ）を使用して、前記少なくとも１つの現在のイメージ統計値（１４９）を計算するステップ
をさらに含む、請求項１２に記載の方法。
【請求項１４】
前記ビン中心値を変換するステップが、
前記生成するステップの前に、前記ビン中心値（１３５）を変換して、複数のＬ＊ビン中心値（１３５ａ）を得るステップと、
前記複数のＬ＊ビン中心値（１３５ａ）をメモリ（１２９）内に記憶するステップ
をさらに含む、請求項１３に記載の方法。
【請求項１５】
前記少なくとも１つのトーン曲線パラメータ（１５０）に、勾配パラメータとシフト・パラメータが含まれ、前記少なくとも１つの現在のイメージ統計値（１４９）に、現在のＬ＊標準偏差と、現在の平均Ｌ＊値または低及び高Ｌ＊百分位数値の一方とが含まれることからなる、請求項１１に記載の方法。
【請求項１６】
前記少なくとも１つの知覚的選好に、所望のＬ＊標準偏差と、所望の平均Ｌ＊値またはセンタリング関数の一方とが含まれ、
前記少なくとも１つのトーン曲線パラメータ（１５０）を計算するステップが、
前記現在のＬ＊標準偏差と前記所望のＬ＊標準偏差を用いて前記勾配パラメータを計算するステップと、
前記現在の平均Ｌ＊値及び前記所望の平均Ｌ＊値、または、前記低及び高Ｌ＊百分位数値及び前記センタリング関数を用いて、前記シフト・パラメータを計算するステップ
をさらに含むことからなる、請求項１５に記載の方法。
【請求項１７】
前記少なくとも１つのトーン曲線パラメータ（１５０）を計算するステップが、
前記現在の平均Ｌ＊値が、上位の事前選択されたシフト値に関連した上位の事前選択された平均Ｌ＊値未満で、かつ、前記計算されたシフト・パラメータが、前記上位の事前選択されたシフト値未満である場合、前記シフト・パラメータを前記上位の事前選択されたシフト値に等しくなるように設定するステップと、
前記現在の平均Ｌ＊値が、下位の事前選択されたシフト値に関連した下位の事前選択された平均Ｌ＊値を超え、かつ、前記計算されたシフト・パラメータが、前記下位の事前選択されたシフト値を超える場合、前記シフト・パラメータを前記下位の事前選択されたシフト値に等しくなるように設定するステップ
をさらに含む、請求項１６に記載の方法。
【請求項１８】
前記生成するステップが、
前記デジタル・イメージ・データ（２５）を受信する前記ステップの前に、第１と第２の事前計算されたトーン曲線（１５８）を生成するステップをさらに含み、前記第１の事前計算されたトーン曲線が最小勾配を有し、前記第２の事前計算されたトーン曲線が最大勾配を有することからなる、請求項１５に記載の方法。
【請求項１９】
前記デジタル・イメージ・データ（２５）を前記出力装置（５０）の範囲にマッピングする際に用いられる前記トーン曲線（１７０）を生成するステップが、
前記勾配パラメータ（１５０ａ）を用いて、前記第１の事前計算されたトーン曲線と前記第２の事前計算されたトーン曲線（１５８）の間の補間を行い、初期トーン曲線（１５９）を得るステップと、
前記シフト・パラメータ（１５０ｂ）を使用して、Ｘ軸上で前記初期トーン曲線（１５９）をシフトさせ、前記デジタル・イメージ・データ（２５）を前記出力装置（５０）の範囲にマッピングする際に用いられる前記トーン曲線（１７０）を得るステップ
を含むことからなる、請求項１８に記載の方法。
【請求項２０】
前記トーン曲線（１７０）を生成するステップが、
前記トーン曲線（１７０）のＹ軸にガンマ補正を施すステップと、
前記トーン曲線（１７０）のＸ軸を前記デジタル・イメージ・データ（２５）のスケールに変換するステップ
を含むことからなる、請求項１１に記載の方法。